(57)【要約】【課題】車両用の露出した親板を有するバックミラーデバイスを提供すること。【解決手段】第１の表面および第２の表面を画定する正面要素を有するバックミラーデバイスが提供される。後面要素は、第３の表面および第４の表面を画定する。電気光学材料が正面要素および後面要素の間に位置する。親板は、前面、背面および周壁を含む。前面は、第４の表面に近接しており、周壁は、第２の表面の周辺の縁に機能的に連結されている。デバイスハウジングが、親板の背面に機能的に連結されている。親板の周壁および背面の一部分は、デバイスハウジングを超えて伸び、外部に露出している。【選択図】図４
2018090252.tif 000002
【特許請求の範囲】
【請求項１】
バックミラーデバイスであって、
第１の表面および第２の表面を画定する正面要素と、
第３の表面および第４の表面を画定する後面要素と、
前記正面要素および前記後面要素の間に位置する電気光学材料と、
前面、背面および周壁を含む親板であって、前記前面は前記第４の表面に近接して配置され、前記周壁は前記第２の表面の周縁に機能的に連結されている親板と、
前記親板の前記背面に機能的に連結されたデバイスハウジングと、
を備え、
前記親板の前記周壁および前記背面の一部分は、前記デバイスハウジングを超えて延びており、外部に露出している
ことを特徴とするバックミラーデバイス。
【請求項２】
前記親板の前記周壁は、前記正面要素の前記第２の表面に接し、前記後面要素の周縁を隠している
ことを特徴とする請求項１に記載のバックミラーデバイス。
【請求項３】
前記デバイスハウジングの後面部分に機能的に連結されたデバイス支持部
を更に備えたことを特徴とする請求項１または２に記載のバックミラーデバイス。
【請求項４】
前記デバイスハウジングは、その中に前記デバイス支持部を収容するよう構成されたくぼみを含む
ことを特徴とする請求項３に記載のバックミラーデバイス。
【請求項５】
前記周壁の前記背面に略直交して伸び、前記親板を前記デバイスハウジングに機能的に連結させる係合壁
を更に備えたことを特徴とする請求項１乃至４のいずれかに記載のバックミラーデバイス。
【請求項６】
前記正面要素は、丸められた正面縁を含む
ことを特徴とする請求項１乃至５のいずれかに記載のバックミラーデバイス。
【請求項７】
前記親板の前記周壁および前記背面の間に配置された丸められた移行部分
を更に備えたことを特徴とする請求項１乃至６のいずれかに記載のバックミラーデバイス。
【請求項８】
バックミラーデバイスであって、
周縁を含むディスプレイデバイスと、
背面および周壁を含む親板であって、前記周壁は前記ディスプレイデバイスの前記周縁に機能的に連結され、前記周縁と略同一平面であり、前記ディスプレイデバイスの前記周縁から当該親板の当該周壁への滑らかな移行を生成する親板と、
前記親板の前記背面に近接したデバイスハウジングであって、前記親板の前記周壁および前記背面の一部分は、前記デバイスハウジングを超えて伸び、外部に露出しているデバイスハウジングと、
前記周壁の前記背面に略直交して伸び、前記親板を前記デバイスハウジングに機能的に連結させる係合壁と、
を備えたことを特徴とするバックミラーデバイス。
【請求項９】
前記デバイスハウジングの後面部分に機能的に連結されたデバイス支持部
を更に備えたことを特徴とする請求項８に記載のバックミラーデバイス。
【請求項１０】
前記デバイスハウジングは、その中に前記デバイス支持部を収容するよう構成されたくぼみを含む
ことを特徴とする請求項９に記載のバックミラーデバイス。
【請求項１１】
前記くぼみは、前記デバイス支持部に配置される回路板にデータを中継するよう構成された少なくとも１つの開口を画定する
ことを特徴とする請求項１０に記載のバックミラーデバイス。
【請求項１２】
前記係合壁は、前記デバイスハウジングと共に、前記親板から一体的に後ろ方向に伸びる
ことを特徴とする請求項８乃至１１のいずれかに記載のバックミラーデバイス。
【請求項１３】
前記係合壁は、前記デバイスハウジングの内側表面上に配置される固定装置と係合するように構成されている
ことを特徴とする請求項１２に記載のバックミラーデバイス。
【請求項１４】
丸められた正面縁を含む正面要素
を更に備えたことを特徴とする請求項８乃至１３のいずれかに記載のバックミラーデバイス。
【請求項１５】
前記親板の前記周壁および前記背面の間に配置された丸められた移行部分
を更に備えたことを特徴とする請求項８乃至１４のいずれかに記載のバックミラーデバイス。
【請求項１６】
バックミラーデバイスであって、
周縁を含むディスプレイデバイスと、
背面および周壁を含む親板であって、前記周壁は前記周縁に機能的に連結され、また、前記周縁と略同一平面であり、前記ディスプレイデバイスの前記周縁から当該親板の当該周壁への略円滑な移行を生成する親板と、
前記親板の前記背面に機能的に連結されたデバイスハウジングと、
を備え、
前記親板の前記周壁および前記背面の一部分は、前記デバイスハウジングを超えて延びており、外部に露出している
ことを特徴とするバックミラーデバイス。
【請求項１７】
前記デバイスハウジングは、その中にデバイス支持部を収容するよう構成されたくぼみを含む、請求項１６に記載のバックミラーデバイス。
【請求項１８】
丸められた正面縁を含む正面要素
を更に備えたことを特徴とする請求項１６または１７に記載のバックミラーデバイス。
【請求項１９】
前記親板の前記周壁および前記背面の間に配置された丸められた移行部分
を更に備えたことを特徴とする請求項１６乃至１８のいずれかに記載のバックミラーデバイス。
【請求項２０】
前記デバイスハウジングの内側表面上に配置される固定装置と係合するように構成された係合壁
を更に備えたことを特徴とする請求項１６乃至１９のいずれかに記載のバックミラーデバイス。
【発明の詳細な説明】
【技術分野】
【０００１】
本開示は一般にバックミラーデバイスに関し、より具体的には、車両用の露出した親板を有するバックミラーデバイスに関する。
【発明の概要】
【０００２】
本開示の一態様は、第１の表面および第２の表面を画定する正面要素を有するバックミラーデバイスを含む。後面要素は、第３の表面および第４の表面を画定する。電気光学材料が正面要素および後面要素の間に位置する。親板は、前面、背面および周壁を含む。前面は、第４の表面に近接して配置され、周壁は、第２の表面の周辺の縁に機能的に連結されている。デバイスハウジングが、親板の背面に機能的に連結されている。親板の周壁および背面の一部分は、デバイスハウジングを超えて伸び、外部に露出している。
【０００３】
本開示の他の態様は、周辺の縁を含むディスプレイデバイスを有するバックミラーデバイスを含む。親板は、背面および周壁を含む。周壁はディスプレイデバイスの周辺の縁に機能的に連結され、また、当該周辺の縁と略同一平面であり、ディスプレイデバイスの周辺の縁から親板の周壁への円滑な移行を生成している。デバイスハウジングは、親板の背面に近接している。親板の周壁および背面の一部分は、デバイスハウジングを超えて伸び、外部に露出している。係合壁が、周壁の背面に略直交して伸び、親板をデバイスハウジングに機能的に連結させる。
【０００４】
本開示のさらに別の態様は、周辺の縁を含むディスプレイデバイスを有するバックミラーデバイスを含む。親板は、背面および周壁を含む。周壁は、周辺の縁に機能的に連結され、また、当該周辺の縁と略同一平面であり、ディスプレイデバイスの周辺の縁から親板の周壁への円滑な移行を生成している。デバイスハウジングは、親板の背面に機能的に連結されている。親板の周壁および背面の一部分は、デバイスハウジングを超えて伸び、外部に露出している。
【０００５】
本開示のさらに別の態様は、周辺の縁を含むディスプレイデバイスを有するバックミラーデバイスを含む。親板は、背面および周壁を含む。周壁は、周辺の縁に機能的に連結され、また、当該周辺の縁と略同一平面であり、ディスプレイデバイスの周辺の縁から親板の周壁への略円滑な移行を生成している。デバイスハウジングは、親板の背面に機能的に連結されている。親板の周壁および背面の一部分は、デバイスハウジングを超えて伸び、外部に露出している。シールが、親板および正面要素の間に配置されてもよい。
【０００６】
本開示のこれらおよびその他の態様、目的、および特徴は、当業者が以下の明細書、特許請求の範囲、および添付図面を調べることによって理解および認識される。
【０００７】
図面において、
【図面の簡単な説明】
【０００８】
【図１】図１は、本開示の車両用のバックミラーデバイスの後側上方斜視図である。
【０００９】
【図２】図２は、図１のバックミラーデバイスの前側上方斜視図である。
【００１０】
【図３】図３は、図１のバックミラーデバイスの上部平面図である。
【００１１】
【図４】図４は、図１のバックミラーデバイスの側面図である。
【００１２】
【図５】図５は、図１の上方分解斜視図である。
【００１３】
【図６】図６は、図１の拡大断面図である。および、
【００１４】
【図７】図７は、周壁が拡大したバックミラーデバイスの拡大断面図である。
【発明を実施するための形態】
【００１５】
本書での説明の目的で、「上側」、「下側」、「右」、「左」、「後部」、「前部」、「垂直」、「水平」といった用語、およびそこから派生したものは、図１で方向付けられた開示に関連するものとする。ただし、当然のことながら、それに反して明示的に特定された場合を除き、本開示は、これとは異なる様々な向きをとることができる。また、当然のことながら、添付した図表に図示され、以下の明細書で説明された特定の装置およびプロセスは、添付した特許請求の範囲に定義された発明の概念の単なる例示的実施形態にすぎない。よって、特許請求の範囲がそうでないことを明示的に述べていない限り、本書で開示された実施形態に関連する具体的な寸法およびその他の物理的特性は、制限的なものとはみなされないものとする。
【００１６】
この明細書では、関連する用語、例えば、第１および第２、上および下などは、１つの構成素子または動作を他の構成素子または動作と区別するためだけに用いられているもので、そのような複数の構成素子または動作の間での実際の相互関係または順序を必ずしも要求または包含するものではない。用語「含む（“ｃｏｍｐｒｉｓｅｓ”、“ｃｏｍｐｒｉｓｉｎｇ”）」またはその用語の他のバリエーションは、列挙される複数の要素を含むプロセス、方法、物品、または装置がそれらの要素のみを含むものではなく、はっきりと列挙されていない、またはそのようなプロセス、方法、物品、もしくは装置にとって固有のものではない他の要素を含んでもよいように、非排他的包含を範囲とすることを意図している。「１つの・・・を含む」が前に付く要素は、それ以上の制約なしでは、その要素を含むプロセス、方法、物品、または装置の追加的な同一要素の存在を除外しない。
【００１７】
本明細書で用いられる、２つ以上のアイテムの列挙で用いられる場合の“および／または”という用語は、列挙されるアイテムのいずれか１つがそれだけで用いられ得る、あるいは、列挙されるアイテムのうち２つ以上のアイテムのあらゆる組合せが用いられ得る、ということを意味する。たとえば、ある組成物が成分Ａ、Ｂおよび／またはＣを含有するとして記載される場合、当該組成物は、Ａを単独で；Ｂを単独で；Ｃを単独で；ＡおよびＢを組合せて；ＡおよびＣを組合せて；ＢおよびＣを組合せて；または、Ａ、ＢおよびＣを組合せて、含有しうる。
【００１８】
図１〜７を参照すると、参照符号１０は、第１の表面１４および第２の表面１６を画定する正面要素１２を有するバックミラーデバイスを全体に示している。後面要素１８は、第３の表面２０および第４の表面２２を画定する。電気着色材料のような電気光学材料２４が正面要素１２および後面要素１８の間に位置する。親板２６は、前面２８、背面３０および周壁３２を含む。前面２８は、第４の表面２２に近接して配置されている。デバイスハウジング３６は、親板２６の背面３０に機能的に連結されている。周壁３２および親板２６の背面３０の外側部分３８は、デバイスハウジング３６を超えて伸び、外部に露出している。
【００１９】
図１および２を参照すると、バックミラーデバイス１０は、一般に、車両のフロントガラス上への設置用に構成されている。バックミラーデバイス１０は、フロントガラスの内側表面への係合のために構成された取り付け台５０を含む。取り付け台５０は、デバイス支持部５８のボール５６（図４）に係合するよう構成されるソケット５４を画定するフロントガラス連結部５２を含む。特に、ボール５６およびソケット５４は、デバイスハウジング３６の内部または外部に配置されてもよい。取り付け台５０は、バックミラーデバイス１０のフロントガラスに対する、ある範囲の移動を提供する。さらに、取り付け台５０は、デバイスハウジング３６の内部で親板２６の背面３０に機能的に連結されてもよいことが意図される。ソケット５４は、「バックミラー取り付けデバイス（ＲＥＡＲＶＩＥＷ  ＭＯＵＮＴＩＮＧ  ＤＥＶＩＣＥ）」と題される、米国特許出願第２０１４／００９７３２０号（当該参照によりその全体を本明細書に組み込む）に記載されたものに類似し得る。デバイス支持部５８は、デバイスハウジング３６の後部６２に画定されるくぼみ６０内へ伸び、また、当該くぼみ６０に収容され、バックミラーデバイス１０への電気的、機械的およびデータ的な結合のうち１つ以上を提供する。特に、デバイスハウジング３６の高さおよび幅は、親板２６、正面要素１２および後面要素１８の高さおよび幅よりも著しく小さい。よって、デバイスハウジング３６は、親板２６の背面３０に取り付けられる。より具体的には、デバイスハウジング３６は、親板２６の背面３０から伸びる係合壁６６の形態である、固定装置に取り付けられる。固定装置は、デバイスハウジング３６の内側表面に配置される。したがって、親板２６の背面３０の外側部分３８は、露出したままになる。親板２６の外側部分３８は、デバイスハウジング３６と類似したまたは類似していない手触りおよび色を含んでいてもよい。図１、３、および４に図示される通り、親板２６は、デバイスハウジング３６を超えておよそ１インチ延びている。
【００２０】
図５を参照すると、後ろ方向に伸びている親板２６の係合壁６６は、デバイスハウジング３６との機械的取り付けのために構成されている。デバイスハウジング３６は、一般に、少なくとも１つの回路板を含む電気的な構成要素を、収容、支持、および保護するように構成されている。デバイスハウジング３６は、わずかに先細であり、親板２６の背面３０上に配置される係合壁６６との係合用に構成されている。係合壁６６は、組立ての間にデバイスハウジング３６の内部またはデバイスハウジング３６の外部に係合し得ることが、一般に意図される。親板２６は、単一部品として、デバイスハウジング３６と一体的に形成または鋳型形成され得ることも、意図される。
【００２１】
図１および６で示す通り、正面要素１２が露出している一方で、後面要素１８は正面要素１２の後ろ側に配置される。正面要素１２は、後面要素１８よりも高さおよび幅が大きく、また、丸められた正面縁７０も含む。丸められた正面縁７０は、バックミラーデバイス１０に滑らかで美学上整った見た目を提供する。同様に、親板２６は、正面要素１２の丸められた正面縁７０に類似した丸められた後面移行部分７２を含む。図６に図示される通り、親板２６は、後面要素１８の周囲を包み、正面要素１２の第２の表面１６に接する。この構造は、親板２６から正面要素１２への均質で滑らかな移行を提供し、後面要素１８を囲い、また、後面要素１８を外から見えないように隠す。代替的に、親板２６は、後面要素１８の第４の表面２２に接してもよい。この場合、後面要素１８の周辺は、露出し得る。正面要素１２および親板２６の連結を維持するシール８０が親板２６および正面要素１２の間に配置されうることも意図される。
【００２２】
図５および６を再度参照すると、正面要素１２の丸められた正面縁７０は、鋳型形成、研磨、または、その他の方法で正面要素１２の周辺の正面縁上に形成され得る。正面要素１２の曲率半径は、周壁３２および親板２６の背面３０の間の丸められた後面移行部分７２を模倣しうるか、または、そうでなければ当該丸められた後面移行部分に類似しうることが、一般に意図される。したがって、バックミラーデバイス１０を調整する使用者にとって、正面要素１２および親板２６の間に一貫した感触が提供される。しかし、親板２６および正面要素１２は、異なる周辺上の構造を含みうることも意図される。たとえば、親板２６の周壁３２は、丸められた壁ではなく、角度のついた壁を有する移行部分を含み得る。さらに、使用者がバックミラーデバイス１０をつかみ、移動の前または移動中に調整するのを手助けする、ギザギザまたはそうでなければザラザラの表面が周壁３２上に形成されてもよい。正面要素１２の丸められた正面縁７０は、滑らかで、艶消しされるなど、親板２６の感触および見た目を補ってもよい。
【００２３】
図５および６を再度参照すると、後面要素１８は、親板２６の内側表面から所定の距離で間隔があいていることが一般に意図される。しかし、後面要素１８は、周壁３２で、親板２６の内側表面に接触しうることも意図される。そのような構造は、製造の際に、親板２６を適切に位置づけるのに役立ちうる。さらに、雄および雌アダプタ８６、８８が回路板９０を車両に機能的に連結しうることが意図される。ある実施形態では、ワイヤ９２の端部に配置される雄アダプタ８６が、回路板９０上の雌アダプタ８８に連結されている。ワイヤ９２は、デバイスハウジング３６および取り付け台５０を通って、最終的に、車両コントローラー・エリア・ネットワーク（ＣＡＮ）バスのような制御センターまで延びている。さらに、図５に図示される通り、係合壁６６は、親板２６と一体であり、当該親板に略直交の角度で当該親板から後ろ方向に延びている。しかし、係合壁６６は、親板２６から様々な他の角度に延び得ることも理解されるべきである。代替的に、係合壁６６は、デバイスハウジング３６から延びて、親板２６の背面３０上に画定されるスロットとしっかり係合され得る。係合壁６６は、デバイスハウジング３６の内側表面のすべて、実質的にすべて、またはいくらかの部分、の周囲で延び得ることが意図される。
【００２４】
デバイスハウジング３６および親板２６は、一般に、不透明、半透明または透明であり得ることが意図される。しかし、バックミラーデバイス１０を操作するために用いられる電気的な構成要素の多くは、デバイスハウジング３６内およびバックミラーデバイス１０の後面要素１８の後ろ側に、組立ての後に配置されることが一般に意図される。デバイスハウジング３６のくぼみ６０は、少なくとも１つの開口１００を含んでもよく、当該開口は、電力および／またはデータ回線が当該開口を通ってデバイスハウジング３６内に配置される回路板に中継されるよう構成される。データおよび／または電力線は、回路板９０から、くぼみ６０に画定される開口、最終的に取り付け台５０のデバイス支持部５８およびボール５６を通って延びることが意図される。
【００２５】
図７を参照すると、親板２６は、正面要素１２の第２の表面１６を超えて前方向に伸びるよう構成され得ることも意図される。図示される実施形態では、親板２６は、フレームになった環状の設計を含む。この場合、たとえばクロム輪のような周辺隠蔽層が第２の表面１６上に配置されて、正面要素１２および後面要素１８の間に配置される電気光学材料２４と連通する電気接点を隠す。親板２６の周壁３２は、正面要素１２の第１の表面１４と同一平面またはほとんど同一平面である前向きで内向きの縁に丸まる、前方向に丸められた部分１１０を含む。この場合、後面要素１８は、全体として、親板２６および正面要素１２の間に隠れている。さらに、親板２６の周壁３２は、正面要素１２および後面要素１８の双方の周辺の縁を隠す。
【００２６】
本開示は、米国特許第８，９２５，８９１号；第８，８１４，３７３号；第８，２０１，８００号；および第８，２１０，６９５号；米国特許出願公開第２０１４／００６３６３０号および第２０１２／０３２７２３４号；ならびに、米国仮特許出願第６１／７０９，７１６号；第６１／７０７，６７６号；および第６１／７０４，８６９号（これらは当該参照によりその全体を本明細書に組み込む）に記述されているものなど、バックミラー組立品と共に使用されうる。さらに、本開示は、米国特許第８，８８５，２４０号；第８，８１４，３７３号；第８，６４６，９２４号；第８，６４３，９３１号；および第８，２６４，７６１号、ならびに米国仮特許出願第６１／７０７，６２５号、第６１／５９０，２５９号（これらは当該参照によりその全体を本明細書に組み込む）に記述されているものなど、バックミラーパッケージ組立品と共に使用され得る。さらに、本開示は、米国特許第８，８２７，５１７号、第８，２１０，６９５号、および第８，２０１，８００号（これらは当該参照によりその全体を本明細書に組み込む）に記述されているものなど、ベゼルを含むことができることが意図されている。
【００２７】
記述された開示およびその他の構成要素の構造が、任意の特定材料に限定されないことは、当業者であれば理解するであろう。本明細書の開示のその他の例示的実施形態は、本明細書に別段の記述がない限り、多種多様の材料から形成されうる。
【００２８】
本開示の目的で、「連結」（連結する、連結した、連結された、などその全ての形態で）という用語は、一般に、（電気的なまたは機械的な）２つの構成要素を直接的または間接的に相互に結合することを意味する。こうした結合は、本質的に固定されたものとすることも、本質的に移動可能とすることもできる。こうした結合は、（電気的なまたは機械的な）２つの構成要素を用いて、および、互いにまたは当該２つの構成要素と１つの単一体として一体的に形成される任意の追加的な中間体部材を用いて、達成しうる。こうした結合は、特に明記されない限り、本質的に永久的とすることも、本質的に取り外し可能または分離可能とすることもできる。
【００２９】
例示的実施形態で図示されている本開示の要素の構造および配列は、例示にすぎないことに注意することも重要である。本開示では、本発明について少数の実施形態のみを詳細に説明してきたが、本開示を検討する当業者は、数多くの改造（例えば、様々な要素のサイズ、寸法、構造、形状および比率、パラメータの値、取り付け配列、材料の使用、色、向き、などの変化）が、詳述されている主題に関する新規性のある教示および利点から大きく逸脱することなく、考えられることを簡単に認識するであろう。例えば、一体的に形成されたように示されている要素は、複数の部品から構成されてもよく、あるいは複数の部品として示される要素は、一体的に形成されてもよい。インターフェースの操作を逆に行ってもよいし、または、さもなければ変えてもよい。システムの構造および／または部材あるいはコネクタまたは他の要素の長さおよび幅は、変えられてもよい。要素間に設けられた調整位置の性質または数は変えられてもよい。注目すべきは、システムの要素および／または組立品は、十分な強度または耐久力を与える任意の広範囲の材料から、非常に多様な色、質感、および組合せの任意のもので構成し得ることである。したがって、こうしたすべての改造は、本発明の範囲内に含まれることが意図される。この発明の精神を逸脱することなく、望ましいその他の例示的実施形態の設計、動作条件、および配列において、その他の置換、改良、変更、および省略がなされうる。
【００３０】
当然のことながら、任意の記述されたプロセスまたは記述されたプロセス内の手順は、記述されたその他のプロセスまたは手順と組み合わされて、本開示の範囲内での構造を形成し得る。本書で開示されている例示的構造およびプロセスは、例証の目的であり、制限するものと解釈されるべきでない。
【００３１】
また当然のことながら、本開示の概念を逸脱することなく、前述の構造および方法に対して変形および改造をすることができ、また当然のことながら、こうした概念は、特許請求の範囲に文言で明示的に別段の定めをした場合を除き、特許請求の範囲によって網羅されることが意図されている。
【図１】
2018090252.tif 000003
【図２】
2018090252.tif 000004
【図３】
2018090252.tif 000005
【図４】
2018090252.tif 000006
【図５】
2018090252.tif 000007
【図６】
2018090252.tif 000008
【図７】
2018090252.tif 000009